(57)【要約】【課題】バラ売りでの購買意欲やノベルティ商品としての販促効果を高めることができるウェットティッシュ及びウェットティッシュ集合体を提供する。【解決手段】予め決められた複数の設定色のうち、任意の一色に着色され、折り畳まれてなる同色の複数の湿潤シート１１と、複数の湿潤シート１１が、外部から任意の一色を識別できないように収納されるハンディタイプの包装体１２と、包装体１２に、インターネットに接続された情報処理端末にて、設定色の各々に関連付けられた情報を提供するウェブサイト１４へ誘導されるよう設けられたＱＲコード１３とを備える。【選択図】図１
2018019941.tif 000002
【特許請求の範囲】
【請求項１】
予め決められた複数の設定色のうち、任意の一色に着色され、折り畳まれてなる同色の複数の湿潤シートと、
前記複数の湿潤シートが、外部から前記任意の一色を識別できないように収納されるハンディタイプの包装体と、
前記包装体に、インターネットに接続された情報処理端末にて、前記設定色の各々に関連付けられた情報を提供するウェブサイトへ誘導されるよう設けられたシンボルと、
を備えるウェットティッシュ。
【請求項２】
予め決められた複数の設定色のうち、任意の一色に着色され、折り畳まれてなる同色の複数の湿潤シートと、
前記複数の湿潤シートが、外部から前記任意の一色を識別できないように収納されるハンディタイプの包装体と、
前記包装体に、インターネットに接続された情報処理端末にて、前記任意の一色に関連付けられた情報を提供するウェブサイトへ誘導されるよう設けられたシンボルと、
を備えるウェットティッシュ。
【請求項３】
請求項２に記載のウェットティッシュであって、さらに、
前記包装体に、前記シンボルによって誘導されるウェブサイトでログインするための外部から見えないように設けられたパスワードを備えるウェットティッシュ。
【請求項４】
請求項１〜３のいずれか一に記載のウェットティッシュであって、
前記設定色の各々に関連付けられた情報が、前記設定色に対応する色占いの情報、又は、前記設定色に関連した風水の情報を含むウェットティッシュ。
【請求項５】
請求項１〜４のいずれか一に記載のウェットティッシュであって、
前記ウェブサイトの提供する情報が定期的に更新されるウェットティッシュ。
【請求項６】
複数のウェットティッシュからなるウェットティッシュ集合体であって、
前記複数のウェットティッシュの各々は、
予め決められた複数の設定色のうち、既知の一色で着色され、折り畳まれてなる同色の複数の湿潤シートと、
前記複数の湿潤シートが、外部から前記既知の一色を識別できないように収納されるハンディタイプの包装体と、
前記包装体に、インターネットに接続された情報処理端末にて、前記複数の設定色の各々に関連付けられた情報を提供するウェブサイトへ誘導されるよう設けられたシンボルと、
を備え、
前記複数の湿潤シートの色が既知である複数のウェットティッシュが、一箇所に、ランダムに配されてなるウェットティッシュ集合体。
【請求項７】
複数のウェットティッシュからなるウェットティッシュ集合体であって、
前記複数のウェットティッシュの各々は、
予め決められた複数の設定色のうち、既知の一色で着色され、折り畳まれてなる同色の複数の湿潤シートと、
前記複数の湿潤シートが、外部から前記既知の一色を識別できないように収納されるハンディタイプの包装体と、
前記包装体に、インターネットに接続された情報処理端末にて、前記既知の一色に関連付けられた情報を提供するウェブサイトへ誘導されるよう設けられたシンボルと、
を備え、
前記複数の湿潤シートの色が既知である複数のウェットティッシュが、一箇所に、ランダムに配されてなるウェットティッシュ集合体。
【発明の詳細な説明】
【技術分野】
【０００１】
本発明は、湿潤シートの色と占いなどの情報とを関連付けて、バラ売りでの購買意欲やノベルティ商品としての販売促進効果を高めることができるウェットティッシュ及びウェットティッシュ集合体に関する。
【背景技術】
【０００２】
ハンディタイプのウェットティッシュは、汗拭きシートやメイク落とし、除菌シートなど種々の用途で使用されている。このウェットティッシュの一形態である、例えば汗拭きシートは、近年、汗へのケア意識の高まりに加えて、手軽に清涼感を得られることもあり、夏場の身だしなみとして、幅広い世代に定着しつつある。
【０００３】
このような状況下で、各メーカは、主として、内包される湿潤シート自体の殺菌・防臭・消臭効果や、香りのバリエーション、包装体の形態・機能に着目し、他社製品との差別化を図っている。包装体の機能で差別化を図った技術として、例えば、特許文献１に開示されたウェットティッシュ包装体が知られている。この従来のウェットティッシュ包装体は、包装体のフラップの摘まみ部分に補強材を備えることにより、摘まみ部分の強度が増し、摘まみやすくなるため、フラップが開けやすくなる。
【０００４】
しかしながら、このような従来のウェットティッシュは、あくまでも湿潤シートや包装体自体の機能・効能の観点で差別化を図ったものであり、この従来の観点だけでは、バラ売りでの購買意欲やノベルティ商品としての販売促進効果（以下、「販促効果」という。）をこれまで以上に高めることは難しかった。
【先行技術文献】
【特許文献】
【０００５】
【特許文献１】特開２０１５−１２３９７９号公報
【発明の概要】
【発明が解決しようとする課題】
【０００６】
本発明は、従来のこのような事情に鑑みてなされたものである。本発明の主な目的は、従来とは別の観点から、バラ売りでの購買意欲やノベルティ商品としての販促効果を高めることができるウェットティッシュ及びウェットティッシュ集合体を提供することにある。
【課題を解決するための手段及び効果】
【０００７】
本発明の第１の側面に係るウェットティッシュによれば、予め決められた複数の設定色のうち、任意の一色に着色され、折り畳まれてなる同色の複数の湿潤シートと、前記複数の湿潤シートが、外部から前記任意の一色を識別できないように収納されるハンディタイプの包装体と、前記包装体に、インターネットに接続された情報処理端末にて、前記設定色の各々に関連付けられた情報を提供するウェブサイトへ誘導されるよう設けられたシンボルと、を備えることができる。前記構成により、内包される湿潤シートが複数の設定色のうち任意の一色に着色されているので、ユーザは、ウェットティッシュでありながら、色が選択対象のクジ引きを体感でき、誘導先のウェブサイトで、引いた色と照合することで、引いた色に関連する情報を取得できる。
【０００８】
また、本発明の第２の側面に係るウェットティッシュによれば、予め決められた複数の設定色のうち、任意の一色に着色され、折り畳まれてなる同色の複数の湿潤シートと、前記複数の湿潤シートが、外部から前記任意の一色を識別できないように収納されるハンディタイプの包装体と、前記包装体に、インターネットに接続された情報処理端末にて、前記任意の一色に関連付けられた情報を提供するウェブサイトへ誘導されるよう設けられたシンボルと、を備えることができる。前記構成により、内包される湿潤シートが複数の設定色うち任意の一色に着色されているので、ユーザは、ウェットティッシュでありながら、色が選択対象のクジ引きを体感でき、選択色に関連付けられた情報を提供するウェブサイトに誘導されるので、引いた色と照合しなくても、引いた色に関連する情報を取得できる。
【０００９】
言い換えると、前記構成により、例えばスマートフォンで、ウェットティッシュに内包された湿潤シートの色から、定期的に内容が更新される色占いなどを行うことが可能となるため、バラ売りでの購買意欲やノベルティ商品としての販促効果を高め、新たな需要を創出できる。
【００１０】
さらにまた、本発明の第３の側面に係るウェットティッシュによれば、前記包装体に、前記シンボルによって誘導されるウェブサイトでログインするための外部から見えないように設けられたパスワードを備えることができる。前記構成により、ウェットティッシュを開封したユーザのみが情報を取得できるため、設定色に関連付けられたすべての情報を収集したいという収集欲が刺激されるので、購買意欲や販促効果を高めることができる。
【００１１】
さらにまた、本発明の第４の側面に係るウェットティッシュによれば、前記設定色の各々に関連付けられた情報が、前記設定色に対応する色占いの情報、又は、前記設定色に関連した風水の情報を含むことができる。前記構成により、ウェットティッシュとしての機能に加え、湿潤シートの色と関連した色占いや風水の情報を提供することで購買意欲や販促効果を高めることができる。
【００１２】
さらにまた、本発明の第５の側面に係るウェットティッシュによれば、前記ウェブサイトの提供する情報が定期的に更新されるよう構成できる。
【００１３】
さらにまた、本発明の第６の側面に係るウェットティッシュ集合体によれば、複数のウェットティッシュからなるウェットティッシュ集合体であって、前記複数のウェットティッシュの各々は、予め決められた複数の設定色のうち、既知の一色で着色され、折り畳まれてなる同色の複数の湿潤シートと、前記複数の湿潤シートが、外部から前記既知の一色を識別できないように収納されるハンディタイプの包装体と、前記包装体に、インターネットに接続された情報処理端末にて、前記複数の設定色の各々に関連付けられた情報を提供するウェブサイトへ誘導されるよう設けられたシンボルと、を備え、前記複数の湿潤シートの色が既知である複数のウェットティッシュが、一箇所に、ランダムに配されるよう構成できる。前記構成により、ウェットティッシュ集合体の中から取り出された一のウェットティッシュは、内包される湿潤シートが複数の設定色のうち任意の一色に着色されているので、ユーザは、ウェットティッシュでありながら、色が選択対象のクジ引きを体感できると共に、誘導先のウェブサイトで、引いた色と照合することで、引いた色に関連する情報を取得できる。
【００１４】
さらにまた、本発明の第７の側面に係るウェットティッシュ集合体によれば、複数のウェットティッシュからなるウェットティッシュ集合体であって、前記複数のウェットティッシュの各々は、予め決められた複数の設定色のうち、既知の一色で着色され、折り畳まれてなる同色の複数の湿潤シートと、前記複数の湿潤シートが、外部から前記既知の一色を識別できないように収納されるハンディタイプの包装体と、前記包装体に、インターネットに接続された情報処理端末にて、前記既知の一色に関連付けられた情報を提供するウェブサイトへ誘導されるよう設けられたシンボルと、を備え、前記複数の湿潤シートの色が既知である複数のウェットティッシュが、一箇所に、ランダムに配されるよう構成できる。前記構成により、ウェットティッシュ集合体の中から取り出された一のウェットティッシュは、内包される湿潤シートが複数の設定色のうち任意の一色に着色されているので、ユーザは、ウェットティッシュでありながら、色が選択対象のクジ引きを体感できると共に、着色された設定色に関連付けられた情報を提供するウェブサイトに誘導されるので、引いた色と照合しなくても、引いた色に関連する情報を取得できる。
【００１５】
言い換えると、前記構成により、内包される湿潤シートの色を任意の色に着色しなくても、ランダムに配されてパッケージ化された集合体では、内包される湿潤シートの色が任意の色に着色されていることになる。すなわち、ユーザが任意に選択可能なウェットティッシュ集合体とすることで、内包される湿潤シートを製造工程において任意の一色を選択してその色に着色しなくて済むため、製造工程を効率化できる。
【図面の簡単な説明】
【００１６】
【図１】本発明を適用した実施形態１に係るウェットティッシュの構成図であって、図１Ａは、おもて面を示す図であり、図１Ｂは、裏面を示す図である。
【図２】色占いの情報を提供するウェブサイト内のメインページのイメージ図である。
【図３】色占いの情報を提供するウェブサイト内のサブページのイメージ図である。
【図４】風水を用いた開運情報を提供するウェブサイト内のサブページのイメージ図である。
【図５】図５Ａは、本発明を適用した実施形態２ａに係るウェットティッシュの構成図であり、図５Ｂは、本発明を適用した実施形態２ｂに係るウェットティッシュの構成図である。
【図６】ログイン画面のイメージ図である。
【図７】本発明を適用した実施形態３に係るウェットティッシュ集合体の説明図である。
【図８】本発明を適用した実施形態３に係るウェットティッシュ集合体の他の説明図である。
【発明を実施するための形態】
【００１７】
以下、本発明の実施の形態を図面に基づいて説明する。ただし、以下に示す実施の形態は、本発明の技術思想を具体化するためのウェットティッシュ及びウェットティッシュ集合体を例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１８】
本発明に係るウェットティッシュは、内包される湿潤シートの色に関連する情報をウェブサイト上でユーザに提供する。湿潤シートの色と関連付けられる情報には幾つかバリエーションがあり、以下、そのバリエーション毎に実施形態を対応付けて説明する。
（ウェットティッシュ１：色占い）
【００１９】
本発明の実施形態１に係るウェットティッシュ１は、ウェットティッシュとしての機能に加え、湿潤シート１１の色に対応した色占いの情報をユーザに提供する機能を有する。図１に示すように、ウェットティッシュ１は、赤色・橙色・青色・水色・緑色・紫色・黄色のうち、いずれか一色に着色され、折り畳まれてなる同色の８枚の湿潤シート１１と、外部から湿潤シート１１の色が識別できないよう収納されるハンディタイプの包装体１２と、湿潤シート１１の色に関連付けられた色占いの情報を提供するウェブサイト１４へ誘導されるよう包装体１２に設けられたＱＲコード（登録商標、特許請求の範囲の「シンボル」の一例に対応する。）１３とを備えている。
（湿潤シート１１）
【００２０】
湿潤シート１１は、赤色・橙色・青色・水色・緑色・紫色・黄色のうち、いずれか一色に着色され、清涼剤やアルコール、防腐剤を含む薬液を含浸し、８枚をウェットティッシュ１の一セットとして折り畳まれる。なお、含浸する薬液は前述のものに限られず、例えば、湿潤シート１１に香りを付けるための香料を含んでいてもよい。また、湿潤シート１１の一セットの枚数は８枚に限られない。
（包装体１２）
【００２１】
包装体１２は、外部から湿潤シート１１の色を識別できないように、例えば８枚の湿潤シート１１を収納する部材である。包装体１２は、例えば、不透過な黒色で着色されたポリプロピレンのシートからなり、湿潤シート１１を取り出すためのシート取出部１２１と、シート取出部１２１から薬液が蒸発し、湿潤シート１１が乾燥することを防ぐためのフラップ部１２２とを備えている。なお、包装体１２は前述の構成に限られない。例えば、包装体１２の色は、黒色に限定されず、シート取出部１２１及びフラップ部１２２は必ずしも設けられていなくてもよい。したがって、例えば、不透過な白色で着色されたポリエチレンのシートが矩形の袋形状になるように加熱圧着され、４辺のうち一辺に開封用の切欠きを有する包装体を用いてもよい。
（ＱＲコード１３）
【００２２】
ＱＲコード１３は、シンボルの一形態であって、包装体１２に設けられ、湿潤シート１１の色に関連付けられた色占いの情報を提供するウェブサイト１４へ誘導するための部材である。ユーザは、ＱＲコード対応のスマートフォン（特許請求の範囲における「情報処理端末」の一例に対応する。）等、あるいは、スマートフォン等にインストールされたＱＲコード用のアプリを用いて、内蔵カメラでＱＲコード１３を撮影し、ウェブサイト１４のＵＲＬ情報を認識し、スマートフォン内で自動的にウェブサイト１４にアクセスできる。なお、シンボルは、ＱＲコード１３に限られず、ウェブサイトへ誘導できるものであればよい。例えば、一次元コードや二次元コードに加え、これらを組み合わせた合成シンボル、さらに、ＵＲＬであってもよい。ここで、一次元コードは、一次元バーコードや一次元シンボル等とも呼ばれ、Ｃｏｄｅ３９やＣｏｄｅ１２８等が挙げられる。二次元コードも同様に二次元バーコードや二次元シンボル等とも呼ばれ、マイクロＱＲコード、データマトリクス（DataMatorix）、ベリコード（VeriCode）、アズテックコード（AztecCode）、ＰＤＦ４１７、ＭｉｃｒｏＰＤＦ４１７、マキシコード（MaxiCode）等がある。また合成シンボルには、一次元コードと二次元コードが混在するＧＳ１合成シンボル等がある。
（ウェブサイト１４）
【００２３】
ウェブサイト１４は、情報処理装置にて誘導されるインターネット上のウェブサイトであり、内包される湿潤シート１１の色に関連する情報をユーザに提供するための部材である。実施形態１においては、ウェブサイト１４は、湿潤シート１１の色を選択するメインページ１４１と、定期的に更新され、メインページ１４１で選択した色に基づいた色占いの結果を表示する複数のサブページ１４２ａ〜１４２ｇで構成される。
【００２４】
メインページ１４１は、図２に示すように、色を選択するための赤色・橙色・青色・水色・緑色・紫色・黄色のウェブボタン１４３ａ〜１４３ｇが設けられている。ユーザは、湿潤シート１１の色と同じ色のウェブボタンをウェブボタン１４３ａ〜１４３ｇから選択することで、選択された色に応じた占いの結果を表示するサブページ１４２ａ〜１４２ｇを表示させることができる。
【００２５】
図３は、サブページ１４２ｃの一実施形態を示している。この図に示すように、サブページ１４２ａ〜１４２ｇは、選択された色に応じた占いの結果を表示するので、ユーザは、自身が所有するウェットティッシュに内包される湿潤シートの色を用いて色占いを行うことができる。また、サブページ１４２ａ〜１４２ｇにおいても、ウェブボタン１４３ａ〜１４３ｇが設けられており、サブページ１４２ａ〜１４２ｇのいずれからも、他のサブページ１４２ａ〜１４２ｇに移動でき、他の色の占い結果を見ることもできる。
【００２６】
これにより、ユーザは、ウェットティッシュでありながら、湿潤シート１１の色を使った色占いを体感できるので、遊び感覚での単体購入やリピート購入を期待できる。
【００２７】
また、サブページ１４２ａ〜１４２ｇに占い情報に加えて広告を表示することで、ウェットティッシュ１のユーザに強制的に広告を見せることができ、ノベルティ商品としての販促効果も高めることができる。
【００２８】
さらにまた、サブページ１４２ａ〜１４２ｇの占い情報に変えて、風水を用いた、湿潤シート１１の色にまつわる開運のための情報、例えば、図４に示すように、湿潤シート１１が青色だった場合は、青色の物を東側に置くと仕事運が上がる等の情報を表示することもできる。なお、表示する情報は、色占いや風水に基づく開運情報に限られない。すなわち、表示する情報を適宜変更することで、様々な客層にウェットティッシュ１を販売することができる。
（ウェットティッシュ２）
【００２９】
前述した実施形態１は、ＱＲコード１３に格納されたＵＲＬ情報から、湿潤シート１１の色に関連する情報がすべて閲覧できるウェブサイト１４に誘導され、湿潤シート１１の色と関連する情報をユーザが選択することで、あるいは、照合することで閲覧可能に構成されている。これに対して、実施形態２に係るウェットティッシュ２は、ＱＲコード１３に、湿潤シート１１の色と関連する情報が閲覧できるウェブサイト（実施形態１のサブページ１４２ａ〜１４２ｇに対応する。）１４２ａ'〜１４２ｇ'のＵＲＬ情報を格納することにより、ユーザが、湿潤シート１１の色と関連する情報を選択しなくても閲覧できるよう構成している。
【００３０】
この実施形態２においては、例えば店頭で、ＱＲコード１３から色に関する情報が取得されないよう構成する。例えば、ＱＲコード１３が外部から見えない位置に配されるようにしてもよいし、アクセスしたウェブサイトにログインするためのパスワードが外部から見えない位置に配されるようにしてもよい。ここでは、便宜上、前者の形態を実施形態２ａ、後者の形態を実施形態２ｂとして、図５及び図６に基づいて、それぞれの実施形態について説明する。
【００３１】
実施形態２ａに係るウェットティッシュ２ａは、図５Ａに示すように、ＱＲコード１３が、フラップ部１２２の裏側、すなわち、外部から見えない位置に設けられている。これにより、ウェットティッシュ２を開封したユーザのみが湿潤シート１１の色と関連する情報を取得できる。
【００３２】
また実施形態２ｂに係るウェットティッシュ２ｂは、図５Ｂに示すように、ＱＲコード１３が、外部から見える位置に設けられており、パスワード１５は、フラップ部１２２の裏側、すなわち、外部から見えない位置に設けられている。また、ＱＲコード１３にて誘導されるウェブサイトは、図６に示すように、ログイン画面となっている。ユーザは、このログイン画面において、パスワード１５を入力してログインすると、湿潤シート１１の色と関連する情報であるウェブサイト１４２ａ'〜１４２ｇ'のうち、ユーザが取得したウェットティッシュ２ｂの湿潤シート１１の色と関連した情報を表示するウェブサイトにのみアクセスすることができる。
【００３３】
また、同一パスワード１５でのアクセスは、ウェブサイト１４２ａ'〜１４２ｇ'のいずれか一のウェブサイトのみに制限し、ウェブサイト１４２ａ'〜１４２ｇ'では、色毎に異なる限定コンテンツを閲覧又はダウンロードできるようにすることで、すべてのコンテンツを収集したいという収集欲が刺激され、購買意欲を高めることができる。限定コンテンツの例として、ウェブサイト１４２ａ'〜１４２ｇ'においてのみダウンロード可能になっている７色の色のそれぞれ対応付けられたテレビドラマの戦隊ヒーローキャラクターに関する動画や静止画が挙げられる。
（ウェットティッシュ集合体３）
【００３４】
前述した実施形態１、２は、内包される湿潤シートの色が任意の色に着色されているという態様である。この態様は、包装体１２の中に任意の色に着色された湿潤シート１１を封入することで実現できるが、予め湿潤シート１１の幾つかのうちの一色に着色しておき、販売や梱包などのパッケージ化する段階で、複数のウェットティッシュ３１をランダムに配しても実現できる。ここでは、図７及び図８に基づいて、この複数のウェットティッシュ３１をランダムに配したウェットティッシュ集合体３について説明する。
【００３５】
このウェットティッシュ集合体３は、複数のウェットティッシュ３１が、特定の色がどこに配されているか識別できないように一箇所に集められた集合体である。なお、便宜上、前述したウェットティッシュ１又はウェットティッシュ２のいずれか一において、予め、湿潤シート１１の色が分かっているウェットティッシュには３１の符号を付している。
【００３６】
ウェットティッシュ集合体３は、例えば、図７に示すように、内包される湿潤シート１１の色が各１０個ずつとなるように、１つの矩形状のダンボール箱にウェットティッシュ３１がランダムに梱包されてなる。また、図８に示すように、梱包の段階では、湿潤シート１１の色が分かっており、例えばバラ売りする段階で、ウェットティッシュ３１をランダムに配してもよい。なお、湿潤シート１１の各色に対応するウェットティッシュ３１の梱包数は１０個に限定されず、また、同数に按分する態様に限定する必要もない。例えば、特定色の湿潤シート１１が内包されたウェットティッシュ３１の数を減らして稀少性を高めるようにしてもよい。
【００３７】
このウェットティッシュ集合体３によれば、内包される湿潤シート１１の製造工程において、任意の一色を選択してその色に着色しなくても、ユーザが選択するウェットティッシュ３１の湿潤シート１１の色はランダムな一色となる。すなわち、色毎に製造ラインを用意し、製造されたウェットティッシュ３１を、パッケージに詰める段階、あるいは、販売する段階で、ランダムに混ぜてパッケージ化すればよいので、製造工程を効率化できる。
【産業上の利用可能性】
【００３８】
本発明のウェットティッシュ及びウェットティッシュ集合体は、スマートフォンで、ウェットティッシュに内包された湿潤シートの色から、定期的に内容が更新される色占いなどを行うことが可能となるため、バラ売りでの購買意欲やノベルティ商品としての販促効果を高め、新たな需要を創出できる。
【符号の説明】
【００３９】
１…ウェットティッシュ；１１…湿潤シート；１２…包装体；１２１…シート取出部；１２２…フラップ部；１３…ＱＲコード；１４…ウェブサイト；１４１…メインページ；１４２ａ'〜１４２ｇ'…ウェブサイト；１４２ａ〜１４２ｇ…サブページ；１４３ａ〜１４３ｇ…ウェブボタン；１５…パスワード
２、２ａ、２ｂ…ウェットティッシュ
３…ウェットティッシュ集合体；３１…ウェットティッシュ
【図１】
2018019941.tif 000003
【図２】
2018019941.tif 000004
【図３】
2018019941.tif 000005
【図４】
2018019941.tif 000006
【図５】
2018019941.tif 000007
【図６】
2018019941.tif 000008
【図７】
2018019941.tif 000009
【図８】
2018019941.tif 000010